(57)【要約】【課題】大型の表示画面に表示されている情報を手元の装置に適切に表示することが可能な情報共有システムを提供する。【解決手段】情報共有システムは、情報表示装置１００と、この情報表示装置１００とネットワーク５０を介して接続される端末装置２００とを含む。情報表示装置１００は、表示画面上の位置情報を入力することが可能に構成されている。情報表示装置１００はさらに、入力された位置情報に基づいて、当該入力された画面上の位置を含む、表示装置１１０の表示画面より小さい所定の表示領域に表示されている画像を端末装置２００に送信する（ステップＳ１０４０）。端末装置２００は、情報表示装置１００から送信された画像を受信すると、受信した画像を表示画面に表示する（ステップＳ１１２０）。【選択図】図１
2014146097.tif 000002
【特許請求の範囲】
【請求項１】
第１の装置と、前記第１の装置とネットワークを介して接続される第２の装置とを備える情報共有システムであって、
前記第１の装置は、
画像を表示するための第１の表示手段と、
前記第１の表示手段における表示画面上の位置情報を入力するための入力手段と、
前記入力手段によって入力された位置情報に基づいて、当該入力された画面上の位置を含む、前記第１の表示手段の表示画面より小さい所定の表示領域に表示されている画像を出力するための出力手段と、
前記出力手段が出力した前記画像を前記第２の装置に送信するための送信手段とを含み、
前記第２の装置は、前記第１の装置から送信された前記画像を受信し、受信した当該画像を表示するための第２の表示手段を含む、情報共有システム。
【請求項２】
表示された画像を、ネットワークを介して接続される端末装置に送信可能な情報表示装置であって、
画像を表示するための表示手段と、
前記表示手段における表示画面上の位置情報を入力するための入力手段と、
前記入力手段によって入力された位置情報に基づいて、当該入力された画面上の位置を含む、前記表示手段の表示画面より小さい所定の表示領域に表示されている画像を出力するための出力手段と、
前記出力手段から出力された前記画像を前記端末装置に送信するための送信手段とを含む、情報表示装置。
【請求項３】
第１の装置と、前記第１の装置とネットワークを介して接続される第２の装置とを備える情報共有システムであって、
前記第１の装置は、
画像を表示するための第１の表示手段と、
前記第１の表示手段における表示画面上の位置情報を入力するための入力手段と、
前記第１の表示手段が表示する画像及び前記入力手段によって入力された画面上の位置情報を前記第２の装置に送信するための送信手段とを含み、
前記第２の装置は、
前記第１の装置から送信された前記画像及び前記位置情報を受信するための受信手段と、
前記画像及び前記位置情報に基づいて、入力された画面上の位置を含む領域であって、前記第１の表示手段の表示画面において当該表示画面より小さい所定の領域に表示されている画像を生成するための生成手段と、
前記生成手段が生成した画像を表示するための第２の表示手段とを含む、情報共有システム。
【請求項４】
画像を表示する表示画面を持ち、表示画面上の位置情報を入力可能な情報表示装置とネットワークを介して接続される端末装置であって、
前記情報表示装置から送信される、画像及び当該画像の画面上での位置を示す位置情報を受信するための受信手段と、
前記画像及び前記位置情報に基づいて、入力された画面上の位置を含む領域であって、前記情報表示装置の表示画面において当該表示画面より小さい所定の領域に表示されている画像を生成するための生成手段と、
前記生成手段が生成した画像を表示するための表示手段とを含む、端末装置。
【請求項５】
第１の装置と、前記第１の装置とネットワークを介して接続される第２の装置とを備える情報共有システムの制御方法であって、
前記第１の装置において、手書き画像を入力する入力ステップと、
前記入力ステップによって入力された手書き画像を第１の表示手段に表示する第１の表示ステップと、
手書き入力された位置の位置情報に基づいて、当該手書き入力された位置を含む、前記第１の表示手段の表示画面より小さい所定の表示領域に表示されている手書き画像を出力するための出力ステップと、
前記出力ステップによって出力された前記手書き画像を前記第２の装置に送信するためのステップと、
前記第２の装置において、前記第１の装置から送信された前記手書き画像を受信し、受信した手書き画像を第２の表示手段に表示する第２の表示ステップとを含む、制御方法。
【発明の詳細な説明】
【技術分野】
【０００１】
本発明は、情報共有システムに関し、特に、表示画面に表示されている情報を共有するための技術に関する。
【背景技術】
【０００２】
従来、タッチパネルを用いてユーザからの指示入力（タッチ）を受付ける情報表示装置が知られている。そうした情報表示装置の１つとして、近年、電子黒板装置が普及しつつある。電子黒板装置は例えば会議等で用いられる。特によく利用されている電子黒板装置は、大型の表示画面を有する表示装置と、タッチパネル等の２次元における位置座標を検知する入力装置とを組合せたコンピュータシステムを含む。
【０００３】
一般的に、電子黒板装置は、表示画面上においてペン等によって指定される位置座標を逐次読取り、読取った情報を元に入力の軌跡を表示パネルに表示する。これによって、電子黒板装置は手書き入力等の電子黒板としての機能を実現している。
【０００４】
近年では、大型の表示画面を持つ電子黒板装置は教室での授業及びカンファレンス等の場においても使われ始めている。上記のように、電子黒板装置ではペンを用いて画面上に手書き入力することが可能である。加えて、電子黒板装置は例えば教室での授業の際に教師が用意した資料等を画面に表示したり、カンファレンスの場においては、カンファレンスの講演者が用意した資料等を画面に表示したりすることも可能である。
【０００５】
また従来、電子黒板装置の大型の表示画面に表示された情報を、例えば教室の生徒及びカンファレンスの聴講者の手元にある端末装置に表示するシステムが提案されている。こうしたシステムでは、大型の表示画面に表示された画面情報が端末装置と共有される。そのため、例えば、電子黒板装置から離れた位置にいる生徒及び聴講者であっても、手元の端末装置の表示を見ることによって電子黒板装置に表示された情報の内容を容易に理解できる。
【０００６】
後掲の特許文献１は、情報表示装置の大型の表示画面に表示している画面情報を、ネットワークを介して接続された手元の端末装置に表示するシステムを開示する。特許文献１のシステムでは、大型の表示画面に表示されている画面と同じ画面が端末装置の表示画面に表示される。
【先行技術文献】
【特許文献】
【０００７】
【特許文献１】特開２０１１−２５３３０７号公報
【発明の概要】
【発明が解決しようとする課題】
【０００８】
特許文献１のシステムでは、情報表示装置に表示されている情報を手元の端末装置の画面に表示する場合、以下の問題点がある。すなわち、端末装置の表示画面は情報表示装置の表示画面に比べて小さいため、特許文献１のシステムでは、情報表示装置の大型の表示画面に表示されている情報を端末装置の画面に適切に表示することが困難であるという問題がある。端末装置の画面に適切に情報を表示するためには、端末装置の表示を拡大する等して見やすくなるように操作する必要がある。
【０００９】
本発明は、上記のような課題を解決するためになされたものであり、本発明の１つの目的は、大型の表示画面に表示されている情報を手元の装置に適切に表示することが可能な情報共有システム、情報表示装置、端末装置、情報共有システムの制御方法、コンピュータプログラム、及びコンピュータプログラムを記録した記録媒体を提供することである。
【課題を解決するための手段】
【００１０】
上記目的を達成するために、本発明の第１の局面に係る情報共有システムは、第１の装置と、第１の装置とネットワークを介して接続される第２の装置とを備える情報共有システムである。この情報共有システムにおいて、第１の装置は、画像を表示するための第１の表示手段と、第１の表示手段における表示画面上の位置情報を入力するための入力手段と、入力手段によって入力された位置情報に基づいて、当該入力された画面上の位置を含む、第１の表示手段の表示画面より小さい所定の表示領域に表示されている画像を出力するための出力手段と、出力手段が出力した画像を第２の装置に送信するための送信手段とを含む。第２の装置は、第１の装置から送信された画像を受信し、受信した当該画像を表示するための第２の表示手段を含む。
【００１１】
本情報共有システムでは、第１の装置と第２の装置とがネットワークを介して接続される。第１の装置は、入力された位置情報に基づいて、当該入力された画面上の位置を含む、第１の表示手段の表示画面より小さい所定の表示領域に表示されている画像を第２の装置に送信する。そのため、第１の装置は、例えば教師又は講演者等が描画している画像等に絞って画像を送信できる。第２の装置は、第１の装置から送信された画像を受信すると、受信した画像を表示する。第１の装置からは、入力された画面上の位置を含む所定の表示領域に表示されている画像が送信されるため、その画像を受信した第２の装置には、第１の装置における所定の表示領域に表示されている画像が表示される。そのため、第１の装置が大型の表示画面を持つ場合であっても、第２の装置には、第１の装置に表示されている情報が適切に表示される。
【００１２】
このように、本情報共有システムによれば、第１の装置が大型の表示画面を持つ場合であっても、その大型の表示画面に表示されている情報を適切な大きさで第２の装置に表示できる。そのため、第２の装置の表示を見やすくするための操作を不要にできる。例えば、第２の装置において表示を拡大する等の操作が不要になる。
【００１３】
本発明の第２の局面に係る情報表示装置は、表示された画像を、ネットワークを介して接続される端末装置に送信可能な情報表示装置である。この情報表示装置は、画像を表示するための表示手段と、表示手段における表示画面上の位置情報を入力するための入力手段と、入力手段によって入力された位置情報に基づいて、当該入力された画面上の位置を含む、表示手段の表示画面より小さい所定の表示領域に表示されている画像を出力するための出力手段と、出力手段から出力された画像を端末装置に送信するための送信手段とを含む。
【００１４】
情報表示装置は、入力された位置情報に基づいて、当該入力された画面上の位置を含む、表示手段の表示画面より小さい所定の表示領域に表示されている画像を端末装置に送信する。そのため、情報表示装置は、例えば教師又は講演者等が描画している画像等に絞って画像を送信できる。端末装置は、情報表示装置から送信された画像を受信すると、受信した当該画像を表示する。情報表示装置からは、入力された位置を含む所定の表示領域に表示されている画像が送信されるため、その情報を受信した端末装置には、情報表示装置における所定の表示領域に表示されている画像が表示される。そのため、情報表示装置が大型の表示画面を持つ場合であっても、端末装置には、情報表示装置に表示されている情報が適切に表示される。
【００１５】
本発明の第３の局面に係る情報共有システムは、第１の装置と、第１の装置とネットワークを介して接続される第２の装置とを備える情報共有システムである。この情報共有システムにおいて、第１の装置は、画像を表示するための第１の表示手段と、第１の表示手段における表示画面上の位置情報を入力するための入力手段と、第１の表示手段が表示する画像及び入力手段によって入力された画面上の位置情報を第２の装置に送信するための送信手段とを含む。第２の装置は、第１の装置から送信された画像及び位置情報を受信するための受信手段と、画像及び位置情報に基づいて、入力された画面上の位置を含む領域であって、第１の表示手段の表示画面において当該表示画面より小さい所定の領域に表示されている画像を生成するための生成手段と、生成手段が生成した画像を表示するための第２の表示手段とを含む。
【００１６】
本情報共有システムでは、第１の装置と第２の装置とがネットワークを介して接続される。第１の装置は、第１の表示手段が表示する画像及び入力された位置情報を第２の装置に送信する。第２の装置は、第１の装置から送信された画像及び位置情報を受信する。第２の装置はさらに、画像及び位置情報に基づいて、入力された位置を含む領域であって、第１の表示手段の表示画面において当該表示画面より小さい所定の領域に表示されている画像を生成し、生成した画像を表示する。第２の装置には、第１の装置において入力された位置を含む所定の表示領域に表示されている画像が表示される。そのため、第１の装置が大型の表示画面を持つ場合であっても、第２の装置には、第１の装置に表示されている情報が適切に表示される。
【００１７】
このように、本情報共有システムによれば、第１の装置が大型の表示画面を持つ場合であっても、その大型の表示画面に表示されている情報を適切な大きさで第２の装置に表示できる。そのため、第２の装置の表示を見やすくするための操作を不要にできる。例えば、第２の装置において表示を拡大する等の操作が不要になる。
【００１８】
本発明の第４の局面に係る端末装置は、画像を表示する表示画面を持ち、表示画面上の位置情報を入力可能な情報表示装置とネットワークを介して接続される端末装置である。この端末装置は、情報表示装置から送信される、画像及び当該画像の画面上での位置を示す位置情報を受信するための受信手段と、画像及び位置情報に基づいて、入力された画面上の位置を含む領域であって、情報表示装置の表示画面において当該表示画面より小さい所定の領域に表示されている画像を生成するための生成手段と、生成手段が生成した画像を表示するための表示手段とを含む。
【００１９】
端末装置は、情報表示装置から送信された画像及び位置情報を受信する。端末装置はさらに、画像及び位置情報に基づいて、入力された位置を含む領域であって、情報表示装置の表示画面において当該表示画面より小さい所定の領域に表示されている画像を生成し、生成した画像を表示する。端末装置には、情報表示装置において入力された画面上の位置を含む所定の表示領域に表示されている画像が表示される。そのため、情報表示装置が大型の表示画面を持つ場合であっても、端末装置には、情報表示装置に表示されている情報が適切に表示される。
【００２０】
本発明の第５の局面に係る制御方法は、第１の装置と、第１の装置とネットワークを介して接続される第２の装置とを備える情報共有システムの制御方法である。この制御方法は、第１の装置において、手書き画像を入力する入力ステップと、入力ステップによって入力された手書き画像を第１の表示手段に表示する第１の表示ステップと、手書き入力された位置の位置情報に基づいて、当該手書き入力された位置を含む、第１の表示手段の表示画面より小さい所定の表示領域に表示されている手書き画像を出力するための出力ステップと、出力ステップによって出力された手書き画像を第２の装置に送信するためのステップと、第２の装置において、第１の装置から送信された手書き画像を受信し、受信した手書き画像を第２の表示手段に表示する第２の表示ステップとを含む。
【００２１】
情報共有システムをこのように制御することによって、第１の装置が大型の表示画面を持つ場合であっても、第２の装置に、第１の装置に表示されている情報を適切に表示できる。
【００２２】
本発明の第６の局面に係るコンピュータプログラムは、画像を表示するための表示手段と、表示手段における表示画面上の位置情報を入力するための入力手段と、表示手段が表示する画像を送信するための送信手段と、入力手段、表示手段及び送信手段を制御するコンピュータとを含む情報表示装置において、コンピュータにより実行されることによって、ネットワークを介して接続される端末装置と情報を共有する制御装置を実現するためのコンピュータプログラムである。このコンピュータプログラムは、コンピュータを、入力手段によって入力された位置情報に基づいて、当該入力された画面上の位置を含む、表示手段の表示画面より小さい所定の表示領域に表示されている画像を送信手段に出力するための出力手段と、送信手段に、出力手段が出力した画像を端末装置に送信させるための手段として機能させる。
【００２３】
本発明の第７の局面に係る記録媒体は、画像を表示するための表示手段と、表示手段における画面上の位置情報を入力するための入力手段と、表示手段が表示する画像を送信するための送信手段と、入力手段、表示手段及び送信手段を制御するコンピュータとを含む情報表示装置において、コンピュータにより実行されることによって、ネットワークを介して接続される端末装置と情報を共有する制御装置を実現するためのコンピュータプログラムを記録する記録媒体である。この記録媒体に記録されるコンピュータプログラムは、コンピュータを、入力手段によって入力された位置情報に基づいて、当該入力された画面上の位置を含む、表示手段の表示画面より小さい所定の表示領域に表示されている画像を送信手段に出力するための出力手段と、送信手段に、出力手段が出力した画像を端末装置に送信させるための手段として機能させる。
【発明の効果】
【００２４】
以上より、本発明によれば、大型の表示画面に表示されている情報を手元の装置に適切に表示することが可能な情報共有システム、情報表示装置、端末装置、情報共有システムの制御方法、コンピュータプログラム、及びコンピュータプログラムを記録した記録媒体を容易に得ることができる。
【図面の簡単な説明】
【００２５】
【図１】本発明の第１の実施の形態に係る情報共有システムの全体構成を示す図である。
【図２】図１に示す情報表示装置のハードウェア構成を示す制御ブロック図である。
【図３】図２に示す表示装置のハードウェア構成をより詳細に示す図である。
【図４】図１に示す端末装置のハードウェア構成を示す制御ブロック図である。
【図５】図１に示す情報表示装置で実行されるプログラムの制御構造を示すフローチャートである。
【図６】図１に示す端末装置で実行されるプログラムの制御構造を示すフローチャートである。
【図７】図１に示す情報共有システムの動作を説明するための図である。
【図８】本発明の第２の実施の形態に係る情報共有システムを示す図である。
【図９】図８に示す情報表示装置のハードウェア構成を示す制御ブロック図である。
【図１０】図８に示す情報表示装置で実行されるプログラムの制御構造を示すフローチャートである。
【図１１】本発明の第３の実施の形態に係る情報共有システムを示す図である。
【図１２】図１１に示す情報表示装置で実行されるプログラムの制御構造を示すフローチャートである。
【図１３】図１に示す端末装置で実行されるプログラムの制御構造を示すフローチャートである。
【発明を実施するための形態】
【００２６】
以下の実施の形態では、同一の部品には同一の参照番号を付してある。それらの機能及び名称も同一である。したがって、それらについての詳細な説明は繰返さない。
【００２７】
（第１の実施の形態）
［全体システム構成］
図１を参照して、本実施の形態に係る情報共有システムは、画像を表示する情報表示装置１００、及び情報表示装置１００に表示された情報を共有する端末装置２００を含む。情報表示装置１００と端末装置２００とは、ネットワーク５０を介して互いに通信可能に接続される。本実施の形態では、情報表示装置１００は有線でネットワーク５０に接続されている。端末装置２００は、無線でネットワーク５０に接続される。図１では、２台の端末装置２００（端末装置２００ａ及び端末装置２００ｂ）が情報表示装置１００に接続されている例を示している。
【００２８】
なお、図１に示した端末装置２００の台数は一例であって、図１に示した台数に限定されるものではない。端末装置２００の台数は１台であってもよいし、３台以上の複数台であってもよい。同じ符号を付した端末装置は、同じ機能を備えた端末装置である必要はないが、いずれの端末装置も表示機能及び通信機能を備える。
【００２９】
情報表示装置１００は、例えばタッチ操作によって描画可能な大型の表示画面を持つ電子黒板装置である。この情報表示装置１００は、タッチパネルディスプレイを含む表示装置１１０と、コンピュータからなる制御装置１２０とを含む。表示装置１１０は、表示領域を大きくするために、複数の表示装置１１０ａ〜１１０ｃから構成されている。複数の表示装置１１０ａ〜１１０ｃは互いに隣接するように配置されている。このように、本情報表示装置１００の表示装置１１０は複数の表示画面を含む。
【００３０】
情報表示装置１００は、種々のアプリケーションソフトを起動することが可能であり、起動したアプリケーションソフトに対応した機能を実現する。アプリケーションソフトは、情報表示装置１００の主要な機能である、タッチペン６０（図７参照）による描画（手書き入力）を実現するソフトを含む。情報表示装置１００はまた、タッチ操作によって描画された描画像（手書き画像（描画データ））を端末装置２００に送信する機能を有する。本実施の形態では、情報表示装置１００は、複数の表示装置１１０ａ〜１１０ｃのうち手書き入力された表示装置の画像（画面）を端末装置２００に送信する。
【００３１】
端末装置２００は例えば１０インチ程度の表示画面を持つタブレット型の端末装置である。端末装置２００は情報表示装置１００から送信された画像を受信する機能を有する。端末装置２００はさらに、受信した画像を表示画面に表示する。
【００３２】
このように、本実施の形態では、情報表示装置１００の複数の表示装置１１０ａ〜１１０ｃのうち、手書き入力がされた表示装置の画面（手書き画像を含む画面）が情報表示装置１００と端末装置２００との間で共有される。
【００３３】
なお、図１及び図７において表示装置１１０ａ〜１１０ｃに表示されている番号（「１」、「２」及び「３」）、並びに、図７において端末装置２００に表示されている番号（「２」）は、共有されている画面（画像）がどの画面（画像）であるのかを分かり易くするために記載したものであって、実際に表示されるものではない。
【００３４】
［ハードウェア構成］
《情報表示装置１００》
図２を参照して、本情報共有システムを構成する情報表示装置１００は、大画面のタッチパネルディスプレイを含む表示装置１１０と、コンピュータからなる制御装置１２０とを含む。
【００３５】
制御装置１２０は、所定のプログラムを実行することにより、情報表示装置１００の全体の制御を実現するための制御部（ＣＰＵ）１２２と、情報表示装置１００の電源が投入されたときにＣＰＵ１２２が読出すプログラムを記憶する読出専用メモリ（ＲＯＭ）１２４と、ＣＰＵ１２２が作業用メモリとして使用するランダム・アクセス・メモリ（ＲＡＭ）１２６と、情報表示装置１００の電源が切断されたときに記録を保持することが可能な記録部１２８と、表示装置１１０（後述するタッチ検出装置１１４）から得た情報（座標データ）を元に、処理内容を決定する入力処理部１３０と、ＣＰＵ１２２の制御にしたがって表示装置１１０による画像の表示を制御する表示制御部１３２と、表示装置１１０に表示させる画像を保持するビデオメモリ（ビデオＲＡＭ）１３４と、情報表示装置１００に対してネットワーク５０との接続を提供する通信インターフェイス（以下、「インターフェイス」を「Ｉ／Ｆ」と記す。）１３６と、これらを互いに接続し、相互の間のデータ及び制御信号の通信を可能にするバス１３８とを含む。
【００３６】
ＲＯＭ１２４は、情報表示装置１００の電源投入時にＣＰＵ１２２が実行し、情報表示装置１００が所定の動作をするように情報表示装置１００の全体を設定するためのプログラム及びデータを記憶している。情報表示装置１００の動作を実現するためのプログラムもＲＯＭ１２４に記憶されている。記録部１２８は、通電が遮断された場合にもデータを保持する不揮発性記憶装置であり、例えば、ハードディスクドライブ又はフラッシュメモリ等である。記録部１２８は情報表示装置１００に対して着脱可能でもよい。記録部１２８は、ＣＰＵ１２２が実行するプログラムの一部を記憶することもできる。このコンピュータプログラムは、ネットワーク５０及び通信Ｉ／Ｆ１３６を介して、外部の情報処理装置等から提供される。なお、このコンピュータプログラムは、そのコンピュータプログラムが記録された、例えばＤＶＤ等の記憶媒体によって提供されてもよい。すなわち、コンピュータプログラムの記録媒体としてのＤＶＤが、情報表示装置１００内に内蔵されるＤＶＤドライブ（図示せず。）に装着され、そのＤＶＤからコンピュータプログラムが読出されて記録部１２８にインストールされてもよい。
【００３７】
ＣＰＵ１２２は、通常動作時には、バス１３８を介してＲＯＭ１２４又は記録部１２８からプログラムをＲＡＭ１２６上にロードし、図示しないプログラムカウンタにより指定されるアドレスから命令を順次読出して実行する。ＣＰＵ１２２は、ＲＯＭ１２４及び記録部１２８に格納されているプログラムにしたがって情報表示装置１００を構成する各部の制御を行なう。
【００３８】
さらに、記録部１２８は、ＣＰＵ１２２の制御の下で、表示装置１１０に表示された画像を画像データとして記憶する。この画像データは、印刷用の画像データとして用いることもできる。
【００３９】
通信Ｉ／Ｆ１３６は、ＣＰＵ１２２の制御の下で、ネットワーク５０に接続された端末装置２００等との間でデータ（画像データを含む。）を送受信する。通信Ｉ／Ｆ１３６を介して情報表示装置１００が外部から受信した画像データは、ＲＡＭ１２６又は記録部１２８に記録される。通信Ｉ／Ｆ１３６はまた、タッチ操作によって描画された描画像（手書き画像（描画データ））を端末装置２００に送信する機能を有する。
【００４０】
表示装置１１０は、表示画面上に画像を表示する表示部１１２と、表示部１１２における表示画面のどの位置がユーザによりタッチされたかを所定時間ごとに検出し、その位置の位置座標を制御装置１２０に対して出力するタッチ検出装置１１４とを含む。タッチ検出装置１１４は、タッチがあったことを検出し、検出があったことを示す信号を出力する機能と、そのときのタッチ位置を示す座標データを出力する機能とを持つ。本実施の形態では、座標データを出力することにより、タッチがあったことも同時に示すものとする。
【００４１】
表示部１１２はフルカラー表示が可能な液晶表示パネル等の表示パネルであり、表示制御部１３２の制御の下で表示画面上に、ビデオＲＡＭ１３４に記憶された画像を表示する。表示制御部１３２は、表示部１１２を駆動するための駆動部としての機能を備え、ビデオＲＡＭ１３４に記憶された画像データを所定のタイミングで読出し、表示部１１２に画像を表示させるための信号を表示部１１２に出力する。表示される画像データは、ＣＰＵ１２２がＲＡＭ１２６上の情報及び記録部１２８に記録された情報から生成し、ビデオＲＡＭ１３４上の各表示画素に対応するアドレスに伝送する。
【００４２】
タッチ検出装置１１４は、ユーザによるタッチ操作を検出する、赤外線遮断検出方式のタッチパネル（入力装置）である。タッチ検出装置１１４は、長方形の書込面を持つ。タッチ検出装置１１４はさらに、この書込面の隣接する２辺にそれぞれ一列に配置された発光ダイオード（ＬＥＤ）列と、それぞれＬＥＤ列に対向して一列に配置された２つのフォトダイオード（ＰＤ）列とを含む。ＬＥＤ列の各ＬＥＤは赤外線を発光し、この赤外線を、対向するＰＤ列の各ＰＤが検出する。
【００４３】
タッチ検出装置１１４は、例えば図示しないマイクロコンピュータ（ＣＰＵ、メモリ、入出力回路等を含む素子）を持ち、このマイクロコンピュータが各ＬＥＤの発光を制御する。ＰＤ列内の各ＰＤは、受光した光の強度に応じた電圧を出力する。ＰＤの出力電圧は、アンプによって増幅される。ＰＤ列の複数のＰＤからは同時に信号が出力されるので、出力信号はタッチ検出装置１１４内の図示しないバッファに一旦保存された後、ＰＤの配列順序に応じたシリアル信号として出力され、マイクロコンピュータに伝送される。
【００４４】
ユーザがタッチペン６０でタッチ検出装置１１４のタッチ面上の１点にタッチすると、タッチペン６０のペン先によって赤外線が遮断される。したがって、遮断される前まで、その赤外線を受光していたＰＤの出力電圧は低下する。すなわち、タッチされた位置（ＸＹ座標）に対応するＰＤからの信号電圧が低下する。マイクロコンピュータは、受信した２つのシリアル信号の信号レベルが低下している部分を検出し、タッチされた位置の位置座標を求める。マイクロコンピュータは、決定された位置座標をＣＰＵ１２２に伝送する。このタッチ位置を検出する処理は、所定の検出周期で繰返されるので、同じ点が検出周期よりも長い時間タッチされていると、同じ座標データが繰返し出力される。ユーザがタッチペン６０を表示装置１１０の表示画面に接触させたまま移動させると、その位置が所定時間ごとに検出される。すなわち、この場合、所定の検出周期で位置座標が少しずつ変化して検出されることになる。このように、タッチ検出装置１１４は手書き画像を入力（手書き入力）することが可能に構成されている。表示装置１１０の表示部１１２には手書き画像が表示される。
【００４５】
上記したタッチされた位置の検出技術は公知であるので、これ以上の説明は繰返さない。また、タッチ検出装置１１４には、赤外線遮断検出方式以外のタッチパネル（静電容量方式、表面弾性波方式、抵抗膜方式、カメラの画像から座標を割り出す赤外線カメラ方式等）を用いてもよい。なお、静電容量方式及び赤外線カメラ方式では、センサに近接していれば非接触でも位置を検出できる。
【００４６】
図３を参照して、表示装置１１０は複数の表示装置１１０ａ〜１１０ｃを含む。本実施の形態では、表示装置１１０は３台の表示装置（第１の表示装置１１０ａ、第２の表示装置１１０ｂ及び第３の表示装置１１０ｃ）を含む。３台の表示装置１１０ａ〜１１０ｃは、互いに隣接するように、水平方向に一例に配置されている。上記した表示部１１２は、３台の表示装置１１０ａ〜１１０ｃに対応する表示部１１２ａ〜１１２ｃを含む。上記したタッチ検出装置１１４は、３台の表示装置１１０ａ〜１１０ｃに対応するタッチ検出装置１１４ａ〜１１４ｃを含む。すなわち、第１の表示装置１１０ａは、表示部１１２ａ及びタッチ検出装置１１４ａを含み、第２の表示装置１１０ｂは、表示部１１２ｂ及びタッチ検出装置１１４ｂを含み、第３の表示装置１１０ｃは、表示部１１２ｃ及びタッチ検出装置１１４ｃを含む。
【００４７】
情報表示装置１００は、手書き入力された位置の位置情報（座標データ）に基づいて、当該手書き入力された位置を含む、表示装置１１０の表示画面における所定の領域に表示されている手書き画像を通信Ｉ／Ｆ１３６に出力するよう構成されている。具体的には、本実施の形態では、情報表示装置１００は、複数の表示装置１１０ａ〜１１０ｃのうち、手書き入力された表示装置の手書き画像（画面）を通信Ｉ／Ｆ１３６に出力する。通信Ｉ／Ｆ１３６は、出力された手書き画像（画面）を端末装置２００に送信する。
【００４８】
《端末装置２００》
図４を参照して、本情報共有システムを構成する端末装置２００（ここでは端末装置２００ａと端末装置２００ｂとは同じ構成であるとする）は、端末装置２００全体を制御するＣＰＵ２０２と、メモリ２０４と、ＲＡＭ２０６と、バス２０８とを含む。メモリ２０４は、電気的に書換え可能な不揮発性の記憶装置であり、例えばフラッシュメモリ等である。メモリ２０４には端末装置２００の動作を制御するのに必要なプログラム及びデータが記憶されている。
【００４９】
ＣＰＵ２０２、メモリ２０４及びＲＡＭ２０６はバス２０８に接続されている。各部間のデータ（制御情報を含む。）交換はバス２０８を介して行なわれる。ＣＰＵ２０２はバス２０８を介してメモリ２０４からプログラムをＲＡＭ２０６上に読出して、ＲＡＭ２０６の一部を作業領域としてプログラムを実行する。すなわち、ＣＰＵ２０２はメモリ２０４に格納されているプログラムにしたがって端末装置２００を構成する各部の制御を行ない、端末装置２００の各機能を実現する。このコンピュータプログラムは、そのコンピュータプログラムが記録された、例えばＤＶＤ等の記憶媒体によって提供されてもよい。さらに、このコンピュータプログラムは、ネットワーク５０上の情報処理装置等から当該ネットワーク５０を介して提供されてもよい。
【００５０】
端末装置２００はさらに、いずれもバス２０８に接続された、タッチパネルディスプレイ２１０、表示制御部２１２及び無線通信Ｉ／Ｆ２１４を含む。
【００５１】
タッチパネルディスプレイ２１０は、タッチパネルからなる入力部２１０ａと、表示パネルからなる表示部２１０ｂとを含む。表示部２１０ｂは例えば液晶表示パネルからなる。表示制御部２１２は、表示部２１０ｂを駆動するための駆動部を含み、ＲＡＭ２０６に記憶された画像データを所定のタイミングで読出し、表示部２１０ｂに画像として表示するための信号を生成して表示部２１０ｂに出力する。表示される画像データは、ＣＰＵ２０２がメモリ２０４から読出して、ＲＡＭ２０６に伝送する。無線通信Ｉ／Ｆ２１４は、無線によりネットワーク５０とのインターフェイスをとる。端末装置２００は、この無線通信Ｉ／Ｆ２１４及びネットワーク５０を介して、情報表示装置１００とデータ通信を行なう。端末装置２００は、情報表示装置１００から送信された画像（画面）を受信すると、その画像（画面）をタッチパネルディスプレイ２１０（表示部２１０ｂ）に表示する。
【００５２】
［ソフトウェア構成］
本実施の形態に係る情報共有システムにおいて、情報表示装置１００の表示画面に表示される情報（画像）を端末装置２００との間で共有するための処理について説明する。
【００５３】
図５を参照して、画像を共有する処理を行なうために、情報表示装置１００で実行されるコンピュータプログラムの制御構造について説明する。このプログラムは、タッチによる描画を実現するソフトの起動によって起動される。なお、情報表示装置１００と複数の端末装置２００との通信を可能とするために、このプログラムは複数のスレッドで並行処理として実行される。１つのスレッドは１つの端末装置２００に対して処理を実行する。異なる端末装置２００に対しては別のスレッドで処理を実行する。
【００５４】
このプログラムは、端末装置２００からの画面共有の要求が有るか否かを判定し、端末装置２００からの画面共有の要求が有るまで待機するステップＳ１０００と、ステップＳ１０００において、端末装置２００からの画面共有の要求が有ったと判定された場合に実行され、初期画面を端末装置２００に送信するステップＳ１０１０と、ステップＳ１０１０の後に実行され、手書き入力がされたか否かを判定し、手書き入力がされるまで待機するステップＳ１０２０とを含む。
【００５５】
ステップＳ１０１０では、端末装置２００の表示画面に初期画面を表示させるために、初期画面を端末装置２００に送信する。本実施の形態では、例えば、図１に示す複数の表示装置１１０ａ〜１１０ｃの表示画面のうち、一番左側の表示装置（第１の表示装置１１０ａ）に表示されている画像（画面）を初期画面として端末装置２００に送信するものとする。
【００５６】
このプログラムはさらに、ステップＳ１０２０において、手書き入力がされたと判定された場合に実行され、手書き入力された位置（書込位置）を検出するステップＳ１０３０と、ステップＳ１０３０の後に実行され、手書き入力された表示装置に表示されている画像（画面）を端末装置２００に送信するステップＳ１０４０とを含む。
【００５７】
ステップＳ１０３０では、タッチ検出装置１１４が、タッチペン６０又は指等によって手書き入力された位置を検出する。この手書き入力は、複数の表示装置１１０ａ〜１１０ｃのうちのいずれかのタッチ検出装置が検出する。そのため、ステップＳ１０３０では、複数の表示装置１１０ａ〜１１０ｃのうち、いずれの表示装置に手書き入力がされたかを同時に検出する。
【００５８】
ステップＳ１０４０では、ステップＳ１０３０で検出した位置を含む画面（複数の表示装置１１０ａ〜１１０ｃのうち、手書き入力された表示装置に表示されている画像（画面））を端末装置２００に送信する。詳述すると、ＣＰＵ１２２が、複数の表示装置１１０ａ〜１１０ｃのうち、手書き入力を検出したタッチ検出装置が設けられた表示装置に表示されている画像（画面）を通信Ｉ／Ｆ１３６に出力する。通信Ｉ／Ｆ１３６は、出力された画像（画面）を端末装置２００に送信する。
【００５９】
このプログラムはさらに、ステップＳ１０４０の後に実行され、端末装置２００から画面共有を終了させるための接続解除の要求が有るか否かを判定し、判定結果に応じて制御の流れを分岐させるステップＳ１０５０と、ステップＳ１０５０において、端末装置２００からの接続解除の要求がないと判定された場合に実行され、表示装置１１０の画面内容が更新されたか否かを判定し、判定結果に応じて制御の流れを分岐させるステップＳ１０６０とを含む。ステップＳ１０５０において、端末装置２００から接続解除の要求を受信した場合は、接続解除の処理を実行した後、このプログラムは終了する。
【００６０】
画面表示を制御する表示制御部１３２に新たなコマンドが入力された場合に画面表示が変更される。そのため、ステップＳ１０６０では、ＣＰＵ１２２が表示制御部１３２に入力されるコマンドを監視して新たなコマンドが表示制御部１３２に入力されたときに更新有りと判定する。ステップＳ１０６０において、更新有りと判定された場合は、制御はステップＳ１０３０に戻る。ステップＳ１０６０において、更新無しと判定された場合は、制御はステップＳ１０５０に戻る。
【００６１】
図６を参照して、画像を共有する処理を行なうために、端末装置２００で実行されるコンピュータプログラムの制御構造について説明する。このプログラムは、ユーザによる操作によって起動される。
【００６２】
このプログラムは、ユーザの操作に応答して、画面共有のための接続要求を情報表示装置１００に送信するステップＳ１１００と、ステップＳ１１００の後に実行され、受信画像が有るか否かを判定し、情報表示装置１００から画像（画面）を受信するまで待機するステップＳ１１１０と、ステップＳ１１１０において、受信画像が有ると判定された場合に実行され、受信した画像をタッチパネルディスプレイ２１０（表示部２１０ｂ）に表示するステップＳ１１２０とを含む。
【００６３】
ステップＳ１１１０では、図５に示すステップＳ１０１０おいて情報表示装置１００から送信された初期画面、及び、図５に示すステップＳ１０４０において情報表示装置１００から送信された手書き入力された表示装置に表示されている画面（画像）を受信すると、受信画像が有ると判定する。ステップＳ１１１０において、情報表示装置１００から送信された初期画面を受信すると、ステップＳ１１２０では、受信した初期画面をタッチパネルディスプレイ２１０に表示する。ステップＳ１１１０において、手書き入力された表示装置に表示されている画面（画像）を受信すると、ステップＳ１１２０では、受信した画面（画像）をタッチパネルディスプレイ２１０に表示する。すなわち、端末装置２００は、複数の表示装置１１０ａ〜１１０ｃのうち、手書き入力された表示装置に表示されている画面（画像）をタッチパネルディスプレイ２１０に表示する。
【００６４】
このプログラムはさらに、ステップＳ１１２０の後に実行され、ユーザによって画面共有を終了させるための接続解除の指示（操作）がされたか否かを判定し、判定結果に応じて制御の流れを分岐させるステップＳ１１３０と、ステップＳ１１３０において、ユーザによって接続解除の指示がされたと判定された場合に実行され、接続解除の要求を情報表示装置１００に送信してこのプログラムを終了するステップＳ１１４０とを含む。ステップＳ１１３０において、ユーザによって接続解除の指示がされていないと判定された場合は、制御はステップＳ１１１０に戻る。
【００６５】
［動作］
本実施の形態に係る情報共有システムは以下のように動作する。以下の説明では、情報共有システムを構成する情報表示装置１００及び端末装置２００の動作のうち、本発明に関連する部分のみを説明する。他の動作は従来の情報表示装置１００及び端末装置２００の動作と同様である。
【００６６】
例えば教室での授業において本情報共有システムが使われているものとする。教室には情報表示装置１００が設置されており、生徒の手元には端末装置２００が置かれている。生徒（ユーザ）は、端末装置２００を情報表示装置１００と画面共有するために、手元の端末装置２００を操作して接続指示を行なったとする。端末装置２００は、生徒の操作（指示）に応答して、画面共有のための接続要求を情報表示装置１００に送信する（図６に示すステップＳ１１００）。情報表示装置１００は、端末装置２００から送信された画面共有のための接続要求を受信すると（図５に示すステップＳ１０００においてＹＥＳ）、端末装置２００に対して初期画面を送信する（ステップＳ１０１０）。本実施の形態では、図１に示す複数の表示装置１１０ａ〜１１０ｃの表示画面のうち、一番左側の表示装置（第１の表示装置１１０ａ）に表示されている画面を初期画面として端末装置２００に送信する。
【００６７】
端末装置２００は、情報表示装置１００から送信された初期画面を受信すると（図６に示すステップＳ１１１０においてＹＥＳ）、受信した画像（初期画面）をタッチパネルディスプレイ２１０に表示する（ステップＳ１１２０）。
【００６８】
図７を参照して、例えば教師がタッチペン６０を用いて情報表示装置１００の表示画面に描画を行なったものとする。情報表示装置１００は複数の表示装置１１０ａ〜１１０ｃを含むため、いずれの表示装置の表示画面に描画が行なわれたかを検出する。タッチペン６０による描画（手書き入力）は、複数の表示装置１１０ａ〜１１０ｃのいずれかのタッチ検出装置（タッチパネル）によって行なわれるため、情報表示装置１００は、タッチ検出装置１１４によるタッチ位置の検出によっていずれの表示装置に手書き入力がされたかを検出する（図５に示すステップＳ１０３０）。
【００６９】
情報表示装置１００は、手書き入力を検出すると、手書き入力を検出したタッチ検出装置が設けられた表示装置に表示されている画面（画像）を通信Ｉ／Ｆ１３６に出力する。情報表示装置１００は、通信Ｉ／Ｆ１３６を介してその画面（画像）を端末装置２００に送信する（ステップＳ１０４０）。
【００７０】
図７には、複数の表示装置１１０ａ〜１１０ｃのうち、第２の表示装置１１０ｂにタッチペン６０によって書込み（手書き入力）がされた例が示されている。この場合、情報表示装置１００は、第２の表示装置１１０ｂに表示されている画面（画像）を端末装置２００に送信する。
【００７１】
端末装置２００は、情報表示装置１００から送信された画面（画像）を受信すると（図６に示すステップＳ１１１０においてＹＥＳ）、その画面（画像）をタッチパネルディスプレイ２１０に表示する（ステップＳ１１２０）。図７を参照して、例えば、第２の表示装置１１０ｂにタッチペン６０によって書込み（手書き入力）がされた場合、端末装置２００は、複数の表示装置１１０ａ〜１１０ｃのうち第２の表示装置１１０ｂの表示画面をタッチパネルディスプレイ２１０に表示する。すなわち、端末装置２００のタッチパネルディスプレイ２１０には、手書き入力がされた表示装置（この場合は第２の表示装置１１０ｂ）の表示画面が表示され、他の表示装置の表示画面は表示されない。
【００７２】
情報表示装置１００において、例えば手書き入力によって画面内容が更新されると（図５に示すステップＳ１０６０においてＹＥＳ）、情報表示装置１００は、手書き入力された位置を検出する（ステップＳ１０３０）。情報表示装置１００は、手書き入力を検出すると、上記したように、手書き入力を検出したタッチ検出装置が設けられた表示装置の画面（画像）を端末装置２００に送信する（ステップＳ１０４０）。
【００７３】
生徒（ユーザ）が端末装置２００を操作することによって、画面共有を終了させるための接続解除を指示すると（図６に示すステップＳ１１３０においてＹＥＳ）、端末装置２００は、接続解除の要求を情報表示装置１００に送信する（ステップＳ１１４０）。情報表示装置１００は、端末装置２００から送信された接続解除の要求を受信すると、接続解除の処理を実行する（図５に示すステップＳ１０５０においてＹＥＳ）。これにより、情報表示装置１００と端末装置２００との画面共有が終了する。
【００７４】
［本実施の形態の効果］
以上の説明から明らかなように、本実施の形態に係る情報共有システムを利用することにより、以下に述べる効果を奏する。
【００７５】
本情報共有システムでは、情報表示装置１００と端末装置２００とがネットワーク５０を介して接続される。情報表示装置１００は、手書き画像が入力されると、入力された手書き画像を表示する。情報表示装置１００はまた、手書き入力された位置の位置情報に基づいて、当該手書き入力された位置を含む、表示装置１１０の表示画面より小さい所定の表示領域に表示される手書き画像を端末装置２００に送信する。情報表示装置１００は、手書き入力がされている情報（例えば教師又は講演者等が描画している画像）に絞って画像を送信できる。端末装置２００は、情報表示装置１００から送信された画像を受信すると、受信した画像を表示する。情報表示装置１００からは、手書き入力された位置を含む所定の表示領域に表示されている画像が送信されているため、その画像を受信した端末装置２００には、情報表示装置１００における所定の表示領域に表示されている画像が表示される。そのため、情報表示装置１００が大型の表示画面を持つ場合であっても、端末装置２００には、情報表示装置１００に表示されている情報が適切に表示される。
【００７６】
本実施の形態では、表示装置１１０は、表示領域を大きくするために複数の表示装置１１０ａ〜１１０ｃを含む。情報表示装置１００は、複数の表示装置１１０ａ〜１１０ｃのうち、手書き入力された表示装置の表示画面に表示されている手書き画像を端末装置２００に送信する。これにより、複数の表示装置１１０ａ〜１１０ｃのうち、手書き入力された表示装置に表示される画像（画面）を共有できる。端末装置２００には、複数の表示装置１１０ａ〜１１０ｃのうち、手書き入力された表示装置に表示されている画像（画面）が表示される。このように、情報表示装置１００は、複数の表示画面を含む表示装置１１０のいずれか１つの表示画面の画像を端末装置２００に送信する。対象の表示画面は、表示装置１１０全体の画面に比べて小さい。したがって、このように構成することにより、情報表示装置１００に表示されている情報を端末装置２００に適切な大きさで表示できる。
【００７７】
このように、本情報共有システムによれば、情報表示装置１００が大型の表示画面を持つ場合であっても、その大型の表示画面に表示されている情報を適切な大きさで端末装置２００に表示できる。そのため、端末装置２００の表示を見やすくするための操作を不要にできる。例えば、端末装置２００において表示を拡大する等の操作が不要になる。
【００７８】
（第２の実施の形態）
図８を参照して、本実施の形態に係る情報共有システムは、図１に示す情報表示装置１００に代えて、情報表示装置３００を含む。図９を参照して、情報表示装置３００は、第１の実施の形態に係る情報表示装置１００と同様の構成を有している。ただし、本実施の形態に係る情報表示装置３００は、表示装置１１０（図２参照）に代えて、表示装置３１０を含む。さらに情報表示装置３００では、ＲＯＭ１４２及び記録部１２８に記憶されているプログラム等が第１の実施の形態とは異なる。
【００７９】
表示装置３１０は、タッチ検出装置３１４及び表示部３１２を含む。タッチ検出装置３１４は、第１の実施の形態と同様、赤外線遮断検出方式のタッチパネルである。表示部３１２も、第１の実施の形態と同様、液晶表示パネル等の表示パネルである。
【００８０】
再び図８を参照して、表示装置３１０は、第１の実施の形態とは異なり、１台の表示装置からなる。この表示装置３１０は、複数の表示領域３１０ａ〜３１０ｄに分割された表示画面を持つ。すなわち、表示装置３１０の表示画面は複数の領域に分けられている。本実施の形態では、表示装置３１０の表示画面は、表示画面を横方向に二等分する二点鎖線３１６及び表示画面を縦方向に二等分する二点鎖線３１８によって、４つの領域（表示領域３１０ａ、表示領域３１０ｂ、表示領域３１０ｃ及び表示領域３１０ｄ）に分けられている。情報表示装置３００は、複数の表示領域３１０ａ〜３１０ｄのうち手書き入力された表示領域の手書き画像（その表示領域の画面）を端末装置２００に送信する。
【００８１】
端末装置２００は第１の実施の形態と同様である。そのため、端末装置２００の構成についての説明は繰返さない。
【００８２】
なお、図８において、表示装置３１０に表示されている文字（「Ａ」、「Ｂ」、「Ｃ」及び「Ｄ」）、及び端末装置２００に表示されている文字（「Ｃ」）は、共有されている画面（表示領域）がどの画面（表示領域）であるのかを分かり易くするために記載したものであって、実際に表示されるものではない。
【００８３】
［ソフトウェア構成］
図１０を参照して、本実施の形態に係る情報表示装置３００において、ステップＳ２０００、ステップＳ２０１０及びステップＳ２０２０における処理を除く各処理は、図５に示すコンピュータプログラムによって実行される各処理と同様である。以下、異なる部分について説明する。
【００８４】
このプログラムは、ステップＳ１０００において、端末装置２００からの画面共有の要求が有ると判定された場合に実行され、初期画面を端末装置２００に送信するステップＳ２０００と、ステップＳ１０３０の後に実行され、表示装置３１０の表示画面において手書き入力された表示領域（表示領域の手書き画像）を切出すステップＳ２０１０と、ステップＳ２０１０の後に実行され、切出した手書き画像を端末装置２００に送信し、制御をステップＳ１０５０に進めるステップＳ２０２０とを含む。
【００８５】
ステップＳ２０００では、端末装置２００の表示画面に初期画面を表示させるために、初期画面を端末装置２００に送信する。本実施の形態では、表示装置３１０の表示画面全体を初期画面として端末装置２００に送信するものとする。ステップＳ２０１０では、ステップＳ１０３０で検出した手書き入力の位置の位置情報に基づいて、複数の表示領域３１０ａ〜３１０ｄのうち、いずれの表示領域に手書き入力がされたかを検出する。そして、複数の表示領域３１０ａ〜３１０ｄのうち、タッチ検出装置３１４によって入力された位置を含む表示領域（検出した表示領域）に表示されている手書き画像（画面）を切出す。すなわち、複数の表示領域３１０ａ〜３１０ｄのうち、タッチ検出装置３１４によって入力された位置を含む表示領域（検出した表示領域）の手書き画像を通信Ｉ／Ｆ１３６に出力する。ステップＳ２０２０では、通信Ｉ／Ｆ１３６を介して、複数の表示領域３１０ａ〜３１０ｄのうち、タッチ検出装置３１４によって入力された位置を含む表示領域の画像（画面）を端末装置２００に送信する。
【００８６】
［動作］
本実施の形態に係る情報共有システムは以下のように動作する。なお、情報表示装置３００において手書き画像を送信する動作、及び端末装置２００において手書き画像を表示する動作を除いた動作は、上記第１の実施の形態と同様である。したがって、同様の動作についての詳細な説明は繰返さない。
【００８７】
図８を参照して、タッチペン６０によって情報表示装置３００の表示画面に描画（手書き入力）されたものとする。情報表示装置３００は、タッチ検出装置３１４によるタッチ位置の検出によって、複数の表示領域３１０ａ〜３１０ｄのうち、いずれの表示領域に手書き入力がされたかを検出する（図１０に示すステップＳ１０３０）。情報表示装置３００は、手書き入力を検出すると、手書き入力された表示領域（表示領域の画像）を切出し（ステップＳ２０１０）、切出した表示領域の画面（表示領域に表示されている画像）を端末装置２００に送信する（ステップＳ２０２０）。詳述すると、情報表示装置３００は、手書き入力を検出すると、手書き入力された表示領域の画像（手書き画像を含む。）を通信Ｉ／Ｆ１３６に出力する。情報表示装置３００は、通信Ｉ／Ｆ１３６を介してその画像（画面）を端末装置２００に送信する。
【００８８】
端末装置２００は、情報表示装置３００から送信された表示領域の画像を受信すると（図６に示すステップＳ１１１０においてＹＥＳ）、その画像（画面）をタッチパネルディスプレイ２１０に表示する（ステップＳ１１２０）。端末装置２００のタッチパネルディスプレイ２１０には、複数の表示領域３１０ａ〜３１０ｄのうち、手書き入力がされた表示領域の画面が表示される。図８を参照して、例えば、複数の表示領域３１０ａ〜３１０ｄのうち表示領域３１０ｃにタッチペン６０によって書込み（手書き入力）がされた場合、端末装置２００は、複数の表示領域３１０ａ〜３１０ｄのうち表示領域３１０ｃの表示画像（画面）をタッチパネルディスプレイ２１０に表示する。すなわち、端末装置２００のタッチパネルディスプレイ２１０には、手書き入力がされた表示領域（この場合は表示領域３１０ｃ）の画面（手書き画像を含む。）が表示され、他の表示領域の画面は表示されない。
【００８９】
［本実施の形態の効果］
以上の説明から明らかなように、本実施の形態に係る情報共有システムを利用することにより、以下に述べる効果を奏する。
【００９０】
表示装置３１０の表示画面は、複数の表示領域３１０ａ〜３１０ｄに分割されている。情報表示装置３００は、複数の表示領域３１０ａ〜３１０ｄのうち、タッチ検出装置３１４によって入力された位置を含む表示領域に表示される手書き画像を端末装置２００に送信する。これにより、分割された複数の表示領域３１０ａ〜３１０ｄのうち、手書き入力された位置を含む表示領域の画像（画面）を共有できる。端末装置２００には、分割された複数の表示領域３１０ａ〜３１０ｄのうち、手書き入力された位置を含む表示領域の画像（画面）が表示され、他の表示領域の画像（画面）は表示されない。したがって、このように構成した場合でも、情報表示装置３００に表示されている情報を端末装置２００に適切に表示できる。
【００９１】
（第３の実施の形態）
図１１を参照して、本実施の形態に係る情報共有システムは、情報表示装置４００と端末装置５００とを含む。情報表示装置４００は、第２の実施の形態に係る情報表示装置３００と同様の構成を有している。ただし、情報表示装置４００は、ＲＯＭ１２４及び記録部１２８に記憶されているプログラム等が第２の実施の形態とは異なる。端末装置５００は、第１の実施の形態に係る端末装置２００と同様の構成を有している。ただし、端末装置５００は、メモリ等に記憶されているプログラム等が第１の実施の形態とは異なる。情報表示装置４００と端末装置５００とは、上記第１及び第２の実施の形態と同様、ネットワークを介して互いに通信可能に接続される。
【００９２】
［ソフトウェア構成］
図１２を参照して、本実施の形態に係る情報表示装置４００において、ステップＳ３０００及びステップＳ３０１０における処理を除く各処理は、図５に示すコンピュータプログラムによって実行される各処理と同様である。以下、異なる部分について説明する。
【００９３】
このプログラムは、ステップＳ１０００において、端末装置５００からの画面共有の要求が有ったと判定された場合に実行され、初期画面を端末装置５００に送信するステップＳ３０００と、ステップＳ１０３０の後に実行され、表示画面全体の画像（手書き画像を含む。）及び書込位置の情報を端末装置５００に送信し、制御をステップＳ１０５０に進めるステップＳ３０１０とを含む。
【００９４】
ステップＳ３０００では、端末装置５００の表示画面に初期画面を表示させるために、初期画面を端末装置５００に送信する。本実施の形態では、表示装置３１０の表示画面全体を初期画面として端末装置５００に送信するものとする。ステップＳ３０００では、表示画面の情報とともに、書込位置無しの情報（手書き入力の位置を指定しない情報）を端末装置５００に送信する。ステップＳ３０１０では、手書き画像を含む表示画面全体の画像と、ステップＳ１０３０で検出した書込位置の情報（手書き入力された位置の位置情報）とを端末装置５００に送信する。
【００９５】
図１３を参照して、本実施の形態に係る端末装置５００において、ステップＳ３１００及びステップＳ３１１０における処理を除く各処理は、図６に示すコンピュータプログラムによって実行される各処理と同様である。以下、異なる部分について説明する。
【００９６】
このプログラムは、ステップＳ１１１０において、受信画像が有ると判定された場合に実行され、受信した画像及び情報に基づいて、表示する画像を生成するステップＳ３１００と、ステップＳ３１００の後に実行され、生成した画像をタッチパネルディスプレイ２１０に表示して制御をステップＳ１１３０に進めるステップＳ３１１０とを含む。
【００９７】
ステップＳ１１１０において、情報表示装置４００から送信された初期画面を受信すると、ステップＳ３１１０では、受信した初期画面をタッチパネルディスプレイ２１０に表示する。初期画面の送信時には、表示画面全体の画像とともに書込位置無しの情報が送信される。そのため、この場合は、ステップＳ３１００において、表示画面全体の画像を、タッチパネルディスプレイ２１０に表示する画像として生成する。一方、ステップＳ１１１０において、図１２に示すステップＳ３０１０で送信された手書き画像（表示画面全体の画像）及び書込位置の情報を受信すると、ステップＳ３１００では、受信した画像及び位置情報に基づいて、手書き入力された位置を含む領域であって、表示装置３１０の表示画面において当該表示画面より小さい所定の領域に表示されている画像を生成する。
【００９８】
図１１を参照して、端末装置５００は、情報表示装置４００から送信された手書き画像及び手書き入力された位置の位置情報を受信すると、その情報に基づいて、手書き入力された位置を中心とした所定の大きさの領域の画像を生成する。この領域は、情報表示装置４００において、タッチ検出装置１１４によって入力された位置（手書き入力された位置）を含む表示画面の一部の領域（例えば二点鎖線４０２で囲まれた領域）に対応する。この領域には、手書き入力による手書き画像（描画像）が表示されている。すなわち、端末装置５００は、手書き画像（表示画面全体の画像）及び書込位置の情報に基づいて、情報表示装置４００の表示画面全体から、書込位置を中心として、手書き画像を含む所定の大きさの領域を切出した画像を生成する。
【００９９】
ステップＳ３１１０では、ステップＳ３１００において生成した画像を表示する。ステップＳ１１１０において、初期画面の画像として、表示画面全体の画像が生成されると、ステップＳ３１１０では、表示画面全体の画像（画面）をタッチパネルディスプレイ２１０に表示する。一方、ステップＳ１１１０において、表示画面全体から所定の大きさに切出した画像が生成されると、ステップＳ３１１０では、ステップＳ３１００で切出した画像をタッチパネルディスプレイ２１０に表示する。なお、切出す画像の大きさ（所定の大きさの領域）は、情報表示装置４００の表示画面のサイズにもよるが、例えば情報表示装置４００の表示画面全体の面積の４分の１程度にできる。切出す画像の大きさ及び形状は、情報表示装置４００の表示画面のサイズに応じて変更可能に構成することもできる。
【０１００】
［動作］
本実施の形態に係る情報共有システムは以下のように動作する。なお、情報表示装置４００において画像を送信する動作、及び端末装置５００において画像を生成する動作を除いた動作は、上記第１の実施の形態と同様である。したがって、同様の動作についての詳細な説明は繰返さない。
【０１０１】
図１１を参照して、タッチペン６０によって情報表示装置４００の表示画面に描画（手書き入力）されたものとする。情報表示装置４００は、タッチ検出装置１１４によるタッチ位置の検出によって、書込位置を検出すると（図１２に示すステップＳ１０３０）、手書き入力された（書込みされた）画像（表示画面全体の画像）とともに、検出した書込位置の情報を端末装置５００に送信する（ステップＳ３０１０）。
【０１０２】
端末装置５００は、情報表示装置４００から送信された画像及び情報を受信すると（図１３に示すステップＳ１１１０においてＹＥＳ）、受信した画像及び情報に基づいて、情報表示装置４００の表示画面全体から、書込位置を中心として、手書き画像を含む所定の大きさの領域を切出した画像（例えば二点鎖線４０２で囲まれた領域に対応する画像）を生成する（ステップＳ３１００）。端末装置５００は、表示する画像を生成すると、生成した画像をタッチパネルディスプレイ２１０に表示する。端末装置５００には、情報表示装置４００においてタッチ検出装置１１４によって入力された位置（手書き入力された位置）を含む、表示画面の一部の領域（例えば二点鎖線４０２で囲まれた領域）の画像が表示される。
【０１０３】
［本実施の形態の効果］
以上の説明から明らかなように、本実施の形態に係る情報共有システムを利用することにより、以下に述べる効果を奏する。
【０１０４】
情報表示装置４００は、タッチペン６０等で描画（手書き入力）が行なわれると、手書き画像及び手書き入力された位置の位置情報を端末装置５００に送信する。端末装置５００は、情報表示装置４００から送信された手書き画像及び位置情報を受信する。端末装置５００はさらに、手書き画像及び位置情報に基づいて、手書き入力された位置を含む領域であって、情報表示装置４００の表示画面において当該表示画面より小さい所定の領域（例えば二点鎖線４０２で囲まれた領域）に表示されている画像を生成し、生成した画像を表示する。より具体的には、端末装置５００は、情報表示装置４００の表示画面全体から、書込位置を中心として、手書き画像を含む所定の大きさの領域を切出した画像をタッチパネルディスプレイ２１０に表示する。そのため、情報表示装置４００が大型の表示画面を持つ場合であっても、端末装置５００には、情報表示装置４００に表示されている情報が適切に表示される。
【０１０５】
このように、本情報共有システムによれば、情報表示装置４００が大型の表示画面を持つ場合であっても、その大型の表示画面に表示されている情報を適切な大きさで端末装置５００に表示できる。そのため、端末装置５００の表示を見やすくするための操作を不要にできる。例えば、端末装置５００において表示を拡大する等の操作が不要になる。
【０１０６】
（変形例）
上記実施の形態では、情報表示装置の一例である電子黒板装置に本発明を適用した例について示したが、本発明はそのような実施の形態には限定されない。手書き入力が可能な情報表示装置であれば、電子黒板装置以外の情報表示装置に本発明を適用することができる。
【０１０７】
上記実施の形態では、本情報共有システムを構成する端末装置にタブレット型の端末装置を用いた例について示したが、本発明はそのような実施の形態には限定されない。端末装置はタブレット型の端末装置以外であってもよい。本情報共有システムを構成する端末装置は、例えば、ＰＣ（Ｐｅｒｓｏｎａｌ  Ｃｏｍｐｕｔｅｒ）及びスマートフォン等であってもよい。
【０１０８】
上記実施の形態では、複数の端末装置を含む構成の場合に、複数の端末装置に同じ構成の端末装置を用いた例について示したが、本発明はそのような実施の形態には限定されない。複数の端末装置は異なる構成の端末装置を含んでいてもよい。なお、複数の端末装置は、例えば、タブレット型の端末装置、ＰＣ及びスマートフォン等が混在していてもよい。
【０１０９】
上記実施の形態では、液晶表示パネルを含む表示装置を備えた情報表示装置について示したが、本発明はそのような実施の形態には限定されない。情報表示装置の表示装置は、液晶表示パネル以外の表示パネルを含む構成であってもよい。例えば、情報表示装置は、有機ＥＬ（Ｅｌｅｃｔｒｏ  Ｌｕｍｉｎｅｓｃｅｎｃｅ）及びプラズマディスプレイ等の表示パネルを含む表示装置を備える構成であってもよい。
【０１１０】
上記実施の形態では、液晶表示パネルを含むタッチパネルディスプレイを備えた端末装置について示したが、本発明はそのような実施の形態には限定されない。端末装置のタッチパネルディスプレイは、液晶表示パネル以外の表示パネルを含む構成であってもよい。例えば、端末装置は、有機ＥＬパネル等を含むタッチパネルディスプレイを備える構成であってもよい。
【０１１１】
上記実施の形態では、情報表示装置が端末装置に対して手書き画像を送信する例について示したが、手書き入力された表示装置の表示画面に手書き画像以外の画像が表示されている場合は、その画像も手書き画像とともに端末装置に送信するように構成してもよい。さらに上記実施の形態では、手書き画像の描画時に入力された位置情報に基づいて、当該手書き画像を端末装置に送信する例について示したが、本発明はそのような実施の形態には限定されない。例えば、画面へのタッチ等により入力された位置情報に基づいて、所定の領域に表示される、写真及びスライド等の手書き画像以外の画像を送信するように構成してもよい。
【０１１２】
上記実施の形態では、情報表示装置を有線でネットワークに接続する例について示したが、本発明はそのような実施の形態には限定されない。情報表示装置は無線でネットワークに接続されていてもよい。
【０１１３】
上記実施の形態では、端末装置を無線でネットワークに接続する例について示したが、本発明はそのような実施の形態には限定されない。端末装置は有線でネットワークに接続されていてもよい。
【０１１４】
上記第１の実施の形態では、情報表示装置が３台の表示装置（第１の表示装置、第２の表示装置及び第３の表示装置）を含み、これら表示装置を水平方向に一列に配置した例について示したが、本発明はそのような実施の形態には限定されない。表示装置の台数は、２台又は４台以上であってもよい。また、表示装置の配置は、上記実施の形態で示したもの以外であってもよい。例えば複数の表示装置を二段に配置してもよい。
【０１１５】
上記第２の実施の形態では、表示装置の表示画面を４つの表示領域に分割（４分割）した例について示したが、本発明はそのような実施の形態には限定されない。表示画面の分割数は、上記実施の形態で示したもの以外であってもよい。例えば、６分割、９分割、又は１６分割等であってもよい。表示装置の表示画面のサイズに応じて、分割数を変えてもよい。
【０１１６】
上記第２の実施の形態では、情報表示装置から端末装置に送信する初期画面を表示画面全体とした例について示したが、本発明はそのような実施の形態には限定されない。端末装置に送信する初期画面は、複数に分割した表示領域のいずれかとしてもよい。例えば図８に示す表示画面における左上の表示領域３１０ａを初期画面として端末装置に送信してもよい。
【０１１７】
上記第３の実施の形態では、端末装置において、受信した手書き画像及び手書き入力された位置の位置情報に基づいて、手書き入力された位置（書込位置）を中心とした所定の大きさの画像を生成する例について示したが、書込位置を中心とすると表示する位置が毎回ずれるおそれがある。そうした場合、書込位置の位置情報が前回作成した画像の範囲内にある場合は、同じ範囲から画像を生成するように構成するのが好ましい。
【０１１８】
上記第３の実施の形態では、端末装置において、手書き画像を含む所定の大きさの領域を切出した画像を生成する例について示したが、本発明はそのような実施の形態には限定されない。第１及び第２の実施の形態のように、情報処理装置側で画像を生成して、生成した画像（画面）を端末装置に送信するようにしてもよい。すなわち、情報表示装置において、手書き画像を含む所定の大きさの領域を切出した画像を生成し、生成した画像（画面）を端末装置に送信するようにしてもよい。図１１を参照して、例えば情報表示装置が、手書き入力された位置の位置情報に基づいて、当該手書き入力された位置を含む、表示画面の一部の領域（例えば二点鎖線４０２で囲まれた領域）に表示されている手書き画像（その領域の画像）を端末装置に送信するようにしてもよい。この場合、表示画面における一部の領域（例えば二点鎖線４０２で囲まれた領域）以外の領域の画像は、端末装置に表示されない。
【０１１９】
上記第１及び第２の実施の形態では、情報表示装置が、手書き入力された位置の位置情報に基づいて、端末装置に表示させる画像を生成する例について示したが、第３の実施の形態のように、情報表示装置では表示画面全体の画像（画面）と手書き入力された位置の位置情報（書込位置の情報）とを端末装置に送信し、端末装置側で表示する画像を生成するように構成してもよい。例えば、第１の実施の形態においては、情報表示装置は、複数の表示装置全ての表示画像と手書き入力された位置の位置情報とを端末装置に送信し、端末装置は、手書き入力された位置の位置情報に基づいて、複数の表示装置のうち、手書き入力された表示装置の画面を選択して、その画面（画像）を表示するようにしてもよい。第２の実施の形態においては、情報表示装置は、表示画面全体の画像（画面）と手書き入力された位置の位置情報とを端末装置に送信し、端末装置は、手書き入力された位置の位置情報に基づいて、複数の表示領域のうち手書き入力された位置を含む表示領域の画像（画面）を選択して、その画像（画面）を表示するようにしてもよい。
【０１２０】
上記で開示された技術を適宜組合せて得られる実施の形態についても、本発明の技術的範囲に含まれる。
【０１２１】
（１）本発明の第１の局面に係る情報共有システムは、第１の装置（１００，３００）と、第１の装置（１００，３００）とネットワーク５０を介して接続される第２の装置２００とを備える情報共有システムである。この情報共有システムにおいて、第１の装置（１００，３００）は、画像を表示するための第１の表示手段と、第１の表示手段における表示画面上の位置情報を入力するための入力手段と、入力手段によって入力された位置情報に基づいて、当該入力された画面上の位置を含む、第１の表示手段の表示画面より小さい所定の表示領域に表示されている画像を出力するための出力手段と、出力手段が出力した画像を第２の装置２００に送信するための送信手段とを含む。第２の装置２００は、第１の装置（１００，３００）から送信された画像を受信し、受信した当該画像を表示するための第２の表示手段を含む。
【０１２２】
本情報共有システムでは、第１の装置（１００，３００）と第２の装置２００とがネットワーク５０を介して接続される。第１の装置（１００，３００）は、入力された位置情報に基づいて、当該入力された画面上の位置を含む、第１の表示手段の表示画面より小さい所定の表示領域に表示されている画像を第２の装置２００に送信する。そのため、第１の装置（１００，３００）は、例えば教師又は講演者等が描画している画像等に絞って画像を送信できる。第２の装置２００は、第１の装置（１００，３００）から送信された画像を受信すると、受信した画像を表示する。第１の装置（１００，３００）からは、入力された画面上の位置を含む所定の表示領域に表示されている画像が送信されるため、その画像を受信した第２の装置２００には、第１の装置（１００，３００）における所定の表示領域に表示されている画像が表示される。そのため、第１の装置（１００，３００）が大型の表示画面を持つ場合であっても、第２の装置２００には、第１の装置（１００，３００）に表示されている情報が適切に表示される。
【０１２３】
このように、本情報共有システムによれば、第１の装置（１００，３００）が大型の表示画面を持つ場合であっても、その大型の表示画面に表示されている情報を適切な大きさで第２の装置２００に表示できる。そのため、第２の装置２００の表示を見やすくするための操作を不要にできる。例えば、第２の装置２００において表示を拡大する等の操作が不要になる。
【０１２４】
（２）好ましくは、第１の表示手段は、画像を表示する表示画面をそれぞれ持つ複数の表示装置１１０ａ〜１１０ｃを含み、入力手段は、複数の表示装置１１０ａ〜１１０ｃの各表示画面に対応するように設けられた、手書き画像を入力する複数のタッチ検出装置１１４ａ〜１１４ｃを含み、出力手段は、複数のタッチ検出装置１１４ａ〜１１４ｃのいずれかによって入力され、複数の表示装置１１０ａ〜１１０ｃのうち、手書き入力されたタッチ検出装置が設けられた表示装置の表示画面に表示されている手書き画像を送信手段に出力するための手段を含む。
【０１２５】
第１の装置において手書き画像が入力されると、第１の表示手段がその手書き画像を表示する。第１の表示手段は、表示領域を大きくするために複数の表示装置を含む場合がある。この場合、第１の装置（１００，３００）は、複数の表示装置１１０ａ〜１１０ｃのうち、手書き入力された表示装置の表示画面に表示されている手書き画像を第２の装置２００に送信する。これにより、複数の表示装置１１０ａ〜１１０ｃのうち、手書き入力された表示装置の画像（画面）を共有できる。第２の装置２００には、複数の表示装置１１０ａ〜１１０ｃのうち、手書き入力された表示装置の画像（画面）が表示される。したがって、このように構成した場合でも、第１の装置（１００，３００）に表示されている情報を第２の装置２００に適切に表示できる。
【０１２６】
（３）より好ましくは、第１の表示手段は、複数の表示領域３１０ａ〜３１０ｄに分割された表示画面を持つ表示装置３１０を含み、入力手段は、表示装置３１０の表示画面に対応するように設けられた、手書き画像を入力するタッチ検出装置３１４を含み、出力手段は、複数の表示領域３１０ａ〜３１０ｄのうち、タッチ検出装置３１４によって入力された位置を含む表示領域に表示されている手書き画像を送信手段に出力するための手段を含む。
【０１２７】
第１の表示手段は、複数の表示領域３１０ａ〜３１０ｄに分割された表示画面を持つ表示装置３１０を含む。この場合、第１の装置（１００，３００）は、複数の表示領域３１０ａ〜３１０ｄのうち、タッチ検出装置３１４によって入力された位置を含む表示領域に表示されている手書き画像を第２の装置２００に送信する。これにより、分割された複数の表示領域３１０ａ〜３１０ｄのうち、手書き入力された位置を含む表示領域の画像（画面）を共有できる。第２の装置２００には、分割された複数の表示領域３１０ａ〜３１０ｄのうち、手書き入力された位置を含む表示領域の画像（画面）が表示されるので、このように構成した場合でも、第１の装置（１００，３００）に表示されている情報を第２の装置２００に適切に表示できる。
【０１２８】
（４）さらに好ましくは、第１の表示手段は、画像を表示する表示画面を持つ表示装置３１０を含み、入力手段は、表示装置３１０の表示画面に対応するように設けられた、手書き画像を入力するタッチ検出装置３１４を含み、出力手段は、タッチ検出装置３１４によって入力された位置を含む表示画面の一部の領域に表示されている手書き画像を送信手段に出力するための手段を含む。
【０１２９】
第１の表示手段は、画像を表示する表示画面を持つ表示装置３１０を含む。この場合、第１の装置４００は、タッチ検出装置によって手書き入力された位置を含む表示画面の一部の領域に表示されている手書き画像を第２の装置５００に送信する。これにより、表示画面の一部の領域に表示されている画像（画面）を共有できる。第２の装置５００には、第１の装置４００において手書き入力された位置を含む、表示画面の一部の領域の画像（画面）が表示されるので、このように構成した場合でも、第１の装置４００に表示されている情報を第２の装置５００に適切に表示できる。
【０１３０】
（５）本発明の第２の局面に係る情報表示装置（１００，３００）は、表示された画像を、ネットワーク５０を介して接続される端末装置２００に送信可能な情報表示装置である。この情報表示装置（１００，３００）は、画像を表示するための表示手段と、表示手段における表示画面上の位置情報を入力するための入力手段と、入力手段によって入力された位置情報に基づいて、当該入力された画面上の位置を含む、表示手段の表示画面より小さい所定の表示領域に表示されている画像を出力するための出力手段と、出力手段から出力された画像を端末装置２００に送信するための送信手段とを含む。
【０１３１】
情報表示装置（１００，３００）は、入力された位置情報に基づいて、当該入力された画面上の位置を含む、表示手段の表示画面より小さい所定の表示領域に表示されている画像を端末装置２００に送信する。そのため、情報表示装置（１００，３００）は、例えば教師又は講演者等が描画している画像等に絞って画像を送信できる。端末装置２００は、情報表示装置（１００，３００）から送信された画像を受信すると、受信した当該画像を表示する。情報表示装置（１００，３００）からは、入力された位置を含む所定の表示領域に表示されている画像が送信されるため、その情報を受信した端末装置２００には、情報表示装置（１００，３００）における所定の表示領域に表示されている画像が表示される。これにより、情報表示装置（１００，３００）が大型の表示画面を持つ場合であっても、端末装置２００には、情報表示装置に表示されている情報が適切に表示される。
【０１３２】
（６）本発明の第３の局面に係る情報共有システムは、第１の装置４００と、第１の装置４００とネットワーク５０を介して接続される第２の装置５００とを備える情報共有システムである。この情報共有システムにおいて、第１の装置４００は、画像を表示するための第１の表示手段と、第１の表示手段における表示画面上の位置情報を入力するための入力手段と、第１の表示手段が表示する画像及び入力手段によって入力された画面上の位置情報を第２の装置５００に送信するための送信手段とを含む。第２の装置５００は、第１の装置４００から送信された画像及び位置情報を受信するための受信手段と、画像及び位置情報に基づいて、入力された画面上の位置を含む領域であって、第１の表示手段の表示画面において当該表示画面より小さい所定の領域に表示されている画像を生成するための生成手段と、生成手段が生成した画像を表示するための第２の表示手段とを含む。
【０１３３】
本情報共有システムでは、第１の装置４００と第２の装置５００とがネットワーク５０を介して接続される。第１の装置４００は、第１の表示手段が表示する画像及び入力された位置情報を第２の装置５００に送信する。第２の装置５００は、第１の装置４００から送信された画像及び位置情報を受信する。第２の装置５００はさらに、画像及び位置情報に基づいて、入力された位置を含む領域であって、第１の表示手段の表示画面において当該表示画面より小さい所定の領域に表示されている画像を生成し、生成した画像を表示する。第２の装置５００には、第１の装置４００において入力された位置を含む所定の表示領域に表示されている画像が表示される。そのため、第１の装置４００が大型の表示画面を持つ場合であっても、第２の装置５００には、第１の装置４００に表示されている情報が適切に表示される。
【０１３４】
このように、本情報共有システムによれば、第１の装置４００が大型の表示画面を持つ場合であっても、その大型の表示画面に表示されている情報を適切な大きさで第２の装置５００に表示できる。そのため、第２の装置５００の表示を見やすくするための操作を不要にできる。例えば、第２の装置５００において表示を拡大する等の操作が不要になる。
【０１３５】
（７）本発明の第４の局面に係る端末装置５００は、画像を表示する表示画面を持ち、表示画面上の位置情報を入力可能な情報表示装置４００とネットワーク５０を介して接続される端末装置である。この端末装置５００は、情報表示装置４００から送信される、画像及び当該画像の画面上での位置を示す位置情報を受信するための受信手段と、画像及び位置情報に基づいて、入力された画面上の位置を含む領域であって、情報表示装置４００の表示画面において当該表示画面より小さい所定の領域に表示されている画像を生成するための生成手段と、生成手段が生成した画像を表示するための表示手段とを含む。
【０１３６】
端末装置５００は、情報表示装置４００から送信された画像及び位置情報を受信する。端末装置５００はさらに、画像及び位置情報に基づいて、入力された位置を含む領域であって、情報表示装置４００の表示画面において当該表示画面より小さい所定の領域に表示されている画像を生成し、生成した画像を表示する。端末装置５００には、情報表示装置４００において入力された画面上の位置を含む所定の表示領域に表示されている画像が表示される。そのため、情報表示装置４００が大型の表示画面を持つ場合であっても、端末装置５００には、情報表示装置４００に表示されている情報が適切に表示される。
【０１３７】
（８）本発明の第５の局面に係る制御方法は、第１の装置（１００，３００）と、第１の装置（１００，３００）とネットワーク５０を介して接続される第２の装置２００とを備える情報共有システムの制御方法である。この制御方法は、第１の装置（１００，３００）において、手書き画像を入力する入力ステップと、入力ステップによって入力された手書き画像を第１の表示手段に表示する第１の表示ステップと、手書き入力された位置の位置情報に基づいて、当該手書き入力された位置を含む、第１の表示手段の表示画面より小さい所定の表示領域に表示されている手書き画像を出力するための出力ステップと、出力ステップによって出力された手書き画像を第２の装置２００に送信するためのステップと、第２の装置２００において、第１の装置（１００，３００）から送信された手書き画像を受信し、受信した手書き画像を第２の表示手段に表示する第２の表示ステップとを含む。
【０１３８】
情報共有システムをこのように制御することによって、第１の装置（１００，３００）が大型の表示画面を持つ場合であっても、第２の装置２００に、第１の装置（１００，３００）に表示されている情報を適切に表示できる。
【０１３９】
（９）本発明の第６の局面に係るコンピュータプログラムは、画像を表示するための表示手段と、表示手段における表示画面上の位置情報を入力するための入力手段と、表示手段が表示する画像を送信するための送信手段と、入力手段、表示手段及び送信手段を制御するコンピュータとを含む情報表示装置（１００，３００）において、コンピュータにより実行されることによって、ネットワーク５０を介して接続される端末装置２００と情報を共有する制御装置を実現するためのコンピュータプログラムである。このコンピュータプログラムは、コンピュータを、入力手段によって入力された位置情報に基づいて、当該入力された画面上の位置を含む、表示手段の表示画面より小さい所定の表示領域に表示されている画像を送信手段に出力するための出力手段と、送信手段に、出力手段が出力した画像を端末装置２００に送信させるための手段として機能させる。
【０１４０】
（１０）本発明の第７の局面に係る記録媒体は、本発明の第７の局面に係る記録媒体は、画像を表示するための表示手段と、表示手段における画面上の位置情報を入力するための入力手段と、表示手段が表示する画像を送信するための送信手段と、入力手段、表示手段及び送信手段を制御するコンピュータとを含む情報表示装置（１００，３００）において、コンピュータにより実行されることによって、ネットワーク５０を介して接続される端末装置２００と情報を共有する制御装置を実現するためのコンピュータプログラムを記録する記録媒体である。この記録媒体に記録されるコンピュータプログラムは、コンピュータを、入力手段によって入力された位置情報に基づいて、当該入力された画面上の位置を含む、表示手段の表示画面より小さい所定の表示領域に表示されている画像を送信手段に出力するための出力手段と、送信手段に、出力手段が出力した画像を端末装置２００に送信させるための手段として機能させる。
【０１４１】
今回開示された実施の形態は単に例示であって、本発明が上記した実施の形態のみに限定されるわけではない。本発明の範囲は、発明の詳細な説明の記載を参酌した上で、特許請求の範囲の各請求項によって示され、そこに記載された文言と均等の意味及び範囲内での全ての変更を含む。
【符号の説明】
【０１４２】
１００、３００、４００                  情報表示装置
１１０、１１０ａ〜１１０ｃ、３１０      表示装置
１１２、１１２ａ〜１１２ｃ、３１２      表示部
１１４、１１４ａ〜１１４ｃ、３１４      タッチ検出装置
１２０                                  制御装置
１２２、２０２                          ＣＰＵ
１２４                                  ＲＯＭ
１２６                                  ＲＡＭ
１２８                                  記録部
１３０                                  入力処理部
１３２、２１２                          表示制御部
１３４                                  ビデオＲＡＭ
１３６                                  通信Ｉ／Ｆ
２００、５００                          端末装置
２０４                                  メモリ
２１０                                  タッチパネルディスプレイ
２１４                                  無線通信Ｉ／Ｆ
３１０ａ〜３１０ｄ                      表示領域
【図１】
2014146097.tif 000003
【図２】
2014146097.tif 000004
【図３】
2014146097.tif 000005
【図４】
2014146097.tif 000006
【図５】
2014146097.tif 000007
【図６】
2014146097.tif 000008
【図７】
2014146097.tif 000009
【図８】
2014146097.tif 000010
【図９】
2014146097.tif 000011
【図１０】
2014146097.tif 000012
【図１１】
2014146097.tif 000013
【図１２】
2014146097.tif 000014
【図１３】
2014146097.tif 000015